(57)【特許請求の範囲】
【請求項１】
マスク本体と、着用者の両耳または頭部に掛けることによって前記マスク本体を装着者の顔面の所定の位置に保持する２本の紐と、を含み、
前記マスク本体の両側には、着用者の顔面に当接する側の面から起倒可能とされた折り返し部が形成されているとともに、
前記マスク本体の側縁部をマスク本体の前面から後面に向かって包み込むように前記マスク本体の両側縁部に固定されている補強帯を有し、
前記補強帯の前記マスク本体後面に向かって折り返された部分がマスク本体の中央部に向かって延在して前記折り返し部を形成する
マスク。
【請求項２】
前記折り返し部は、前記マスク本体の中央部寄りの一辺を除く三辺において前記マスク本体に固定されて袋状とされている請求項１に記載のマスク。
【請求項３】
前記マスク本体における前記折り返し部の外側に、前記マスク本体の中央部に向かって１または複数の切込みが形成されている請求項１に記載のマスク。
【請求項４】
前記切込みはスリット状とされている請求項３に記載のマスク。
【請求項５】
前記切込みはＶ字型とされている請求項３に記載のマスク。
【請求項６】
前記切込みはＵ字型とされている請求項３に記載のマスク。
【請求項７】
前記マスク本体の両側縁は、前記マスク本体の中央部に向かって円弧状に湾曲する形態とされている請求項１に記載のマスク。
【請求項８】
前記マスク本体の上縁部には、着用時に着用者の鼻梁に沿って屈曲可能とされたノーズグリップが設けられている請求項１に記載のマスク。
【発明の詳細な説明】
【技術分野】
【０００１】
本発明は、マスクに関する。
【背景技術】
【０００２】
使い捨ての不織布マスクとしては、たとえば、左右方向を前後にして重なり合う実質的に２枚の不織布が熱溶融性の合成繊維あるいは天然繊維を含み、それらの前方側縁部と後方側縁部とにおいて接合された環状体のマスクにおいて、前記前方側縁部とその近傍とが着用者顔面の所要部位を被覆可能に形成され、且つ前記後方側縁部とその近傍とが着用者頭部に掛回可能に形成され、前記後方側縁部における接合部位の上下方向の所要範囲が、害範囲の上下に位置する前記後方側縁部の残余の部位よりも更に後方へ延出し、その延出部分で内面同士が向かい合う前記２枚の不織布に含まれる合成繊維が溶融、固化されている不織布マスクがある（特許文献１）。
【０００３】
使い捨ての不織布マスクとしては、また、マスク本体３と、このマスク本体３の左右両側に設けられた一対の耳掛け部４とを備え、マスク本体３は左右の不織布シート１をこのマスク本体３の略中央で上下方向の略円弧状の接合縁２により接合してなり、左右の不織布シート１に圧熱粉体２４の反応熱により着用者の顔面の被発熱部位を加温する加温シート５を設けたものがある（特許文献２)。
【０００４】
更に、着用時に口を覆うマスク部１２と、マスク部１２の左右の端部１３ｌ、１３ｒ、１４ｌ、１４ｒから突出し、かつ耳にあっけられる耳掛け部１３、１４とを備え、耳掛け部１３、１４は、マスク部１２とは別の部材でマスク部に接合された細帯状の不織布Ｗと、不織布Ｗの長手方向Ｘに沿って配置された少なくとも１本の弾性部材Ｆとを包含する使い捨てマスクもある（特許文献３）。
【０００５】
しかしながら、従来の不織布マスクにおいては、着用者の鼻周りや耳側からの空気漏れを十分に防げないという問題がある。
【０００６】
そこで、不織布マスクにおいて着用者の鼻があたる部分にノーズグリップを設け、不織布マスクと着用者の鼻との間の密着性を向上させることが検討された。また、ノーズグリップに鉄芯を装入したり、アルミニウムの棒材でノーズグリップを形成したりしてノーズグリップそのものの強度を改善することも検討された。更に、ノーズグリップに沿うようにしてウレタンフォーム、不織布シート、不織布にラミネート加工したもの、またはフィルムを配置したり、ノーズグリップの周囲に粘着材を塗布したり、粘着テープ（両面テープ）を配置したりしてノーズグリップと鼻との密着性を改善することも試みられた。
【０００７】
加えてマスクの折り形状を、着用時にマスクの中央部と着用者の顔面との間に空間が形成されないようにしてマスクの両端における応力集中を和らげる方法も検討された。
【先行技術文献】
【特許文献】
【０００８】
【特許文献１】特許第３６６４５４３号公報
【特許文献２】特開２００９−０００２００号公報
【特許文献２】特開２０１０−１８７９０１号公報
【発明の概要】
【発明が解決しようとする課題】
【０００９】
しかしながら、従来の不織布マスクにおいては、着用者の鼻周りや耳側からの空気漏れを十分に防げないという問題がある。
【００１０】
本発明は、上記問題を解決すべく成されたもので、着用者の鼻回りや耳側からの空気漏れを効果的に防止できるマスクの提供を目的とする。
【課題を解決するための手段】
【００１１】
請求項１に記載の発明は、マスク本体と、着用者の両耳または頭部に掛けることによって前記マスク本体を装着者の顔面の所定の位置に保持する２本の紐と、を含み、
前記マスク本体の両側には、着用者の顔面に当接する側の面から起倒可能とされた折り返し部が形成されているとともに、前記マスク本体の側縁部をマスク本体の前面から後面に向かって包み込むように前記マスク本体の両側縁部に固定されている補強帯を有し、前記補強帯のマスク本体後面に向かって折り返された部分がマスク本体の中央部に向かって延在して前記折り返し部を形成するマスクに関する。
【００２０】
請求項１に記載の発明は、マスク本体と、着用者の両耳または頭部に掛けることによって前記マスク本体を装着者の顔面の所定の位置に保持する２本の紐と、を含み、前記マスク本体の両側には、着用者の顔面に当接する側の面から起倒可能とされた折り返し部が形成されているマスクに関する。
【００２１】
請求項２に記載の発明は、前記折り返し部が、前記マスク本体の中央部寄りの一辺を除く三辺において前記マスク本体に固定されて袋状とされている請求項１に記載のマスクに関する。
【００２２】
請求項３に記載の発明は、前記マスク本体における前記折り返し部の外側に、前記マスク本体の中央部に向かって１または複数の切込みが形成されている請求項１に記載のマスクに関する。
【００２３】
請求項４に記載の発明は、前記切り込みがスリット状とされている請求項３に記載のマスクに関する。
【００２４】
請求項５に記載の発明は、前記切り込みがＶ字型とされている請求項３に記載のマスクに関する。
【００２５】
請求項６に記載の発明は、前記切り込みはＵ字型とされている請求項３に記載のマスクである。
【００２６】
請求項７に記載の発明は、前記マスク本体の両側縁は、前記マスク本体の中央部に向かって円弧状に湾曲する形態とされている請求項１に記載のマスクである。
【００２７】
請求項８に記載の発明は、前記マスク本体の上縁部に、着用時に着用者の鼻梁に沿って屈曲可能とされたノーズグリップが設けられている請求項１のマスクである。
【発明の効果】
【００３５】
本発明によれば、着用者の顔面とマスク本体との間の密着性の良好なマスクが提供される。
【図面の簡単な説明】
【００３６】
【図１】図１は実施形態１に係るマスクを前方から見たところを示す正面図および前記マスクを上下方向の平面Ｘ−Ｘに沿って切断した断面を示す断面図である。
【図２】図２は実施形態２に係るマスクを前方から見たところを示す正面図および前記マスクを上下方向の平面Ｘ−Ｘに沿って切断した断面を示す断面図である。
【図３】図１は実施形態３に係るマスクの第１の例について、前方から見たところを示す正面図および前記マスクを上下方向の平面Ｘ−Ｘに沿って切断した断面を示す断面図である。
【図４】図４は実施形態３に係るマスクの第２の例について、前方から見たところを示す正面図および前記マスクを上下方向の平面Ｘ−Ｘに沿って切断した断面を示す断面図である。
【図５】図５は実施形態３に係るマスクの第３の例について、前方から見たところを示す正面図および前記マスクを上下方向の平面Ｘ−Ｘに沿って切断した断面を示す断面図である。
【図６】図６は実施形態３に係るマスクの第４の例について、前方から見たところを示す正面図および前記マスクを上下方向の平面Ｘ−Ｘに沿って切断した断面を示す断面図である。
【図７】図７は実施形態４に係るマスクを前方から見たところを示す正面図および前記マスクを上下方向の平面Ｘ−Ｘに沿って切断した断面を示す断面図である。
【図８】図８は実施形態５に係るマスクを前方から見たところを示す正面図および前記マスクを上下方向の平面Ｘ−Ｘに沿って切断した断面を示す断面図である。
【図９】図９は実施形態６に係るマスクを前方から見たところを示す正面図および前記マスクを上下方向の平面Ｘ−Ｘに沿って切断した断面を示す断面図である。
【図１０】図１０は実施形態７に係るマスクを前方から見たところを示す正面図および前記マスクを上下方向の平面Ｘ−Ｘに沿って切断した断面を示す断面図である。
【図１１】図１１は実施形態７に係るマスクを後方から見たところを示す背面図である。
【図１２】図１２は着用者が実施形態１に係るマスクを着用したところを示す斜視図である。
【００３７】
１．実施形態１
実施形態１に係るマスク１は、図１（Ａ）に正面図を、図１（Ｂ）に縦断面図を示すように、着用時に着用者の鼻と口とを覆うマスク本体１１と、マスク本体１１の両側に設けられ、マスク本体１１を装着者の顔面の所定の位置に保持する２本の紐１２と、と、マスク本体１１の両側、言い換えれば一対の縦方向側縁からマスク１１における着用者の顔面が当接する側の面即ち後面１１Ａに向かって折り返され、且つ後面１１Ａに対して起倒可能に設けられた折り返し部１３と、を備える。
【００３８】
マスク本体１１は、不織布シートをたとえば３枚重ねたものから構成され、前方が山になり後方が谷になるように折り返されて形成された横方向の襞１１Ｂが上下に３本配列されている。
【００３９】
マスク本体１１の上縁１１Ｃは前方に折り返されて溶着線１１Ｅおよび１１Ｆで溶着されている。同様にマスク本体１１の下縁１１Ｄも前方に折り返されて溶着線１１Ｇで溶着されている。上縁１１Ｃにおける溶着線１１Ｅおよび１１Ｆの間には、アルミニウムの平角材からなるノーズグリップ１４が埋包されている。
【００４０】
マスク本体１１の両側には、不織布シート、不織布にラミネート加工したもの、およびフィルムから選択された材料からなる補強帯１１Ｊがマスク本体１１の前面から後面１１Ａに向かって折り返された状態で溶着線１１Ｈで溶着されてマスク本体１１の両側縁部が形成される。補強帯１１Ｊの後面１１Ａに向かって折り返された部分は、マスク本体１１の中央部にむかって延在して折り返し部１３を形成している。補強帯１１Ｊの上端と下端とには、紐１２の一端と他端とが溶着部１１Ｉで溶着されている。なお、折り返し部１３は、上縁と下縁とを溶着線１１Ｋによってマスク本体１１に溶着することにより袋状に仕立てられているが、溶着線１１Ｋを省略して単なる折り返し片としてもよい。また、折り返し部１３そのものを省略してもよい。
【００４１】
着用者１００がマスク１を着用するときは、図１０に示すようにマスク１の２本の紐１２の夫々を着用者の耳にかけまわすとともに、ノーズグリップ１４を鼻梁の形状に合わせて屈曲させ、マスク本体１１の上縁１１Ｃが顔面に密着するようにし、同時に折り返し部１３をマスク本体１１から起立するように折り曲げながら着用する。
【００４２】
マスク１を着用すると、マスク本体１１の襞１１Ｂがその中央部において伸ばされ、これによって着用者１００の鼻と口とが覆われる。
【００４３】
一方、マスク本体１１の両側は、紐１２からの張力によって両端が互いに近接する方向の力を受け、着用者１００の顔面に対して外側に屈曲する。しかしながら、紐からの前記張力によって折り返し部１３はマスク本体１１から起立する方向の力を受けるから、マスク本体１１の両側と着用者１００の顔面との間の隙間は起立した折り返し部１３によって塞がれる。これにより、着用者１００の耳側からの空気漏れが抑えられる。
【００４４】
２．実施形態２
実施形態２のマスク２は、図２（Ａ）に正面図を、図２（Ｂ）に縦断面図を示すように、実施形態１のマスク１において、補強帯１１Ｊをマスク本体１１の両側縁に溶着する溶着線１１Ｈをマスク本体１１の中央部に向かって湾曲する円弧状とするとともに、マスク本体１１を溶着線１１Ｈに沿ってその外側を切り取ることにより、マスク本体１１の両側縁をマスク本体１１の中央部に向かって湾曲する円弧状に形成したものである。なお、図２以下において、図１と同一の符号は、前記符号が図１において示すのと同一の構成要素を示す。
【００４５】
実施形態２のマスク２は、上記の点を除いて実施形態１のマスク１と同一の構成を有する。なお、本実施形態においては折り返し部１３を省略してもよい。また、折り返し部１３を設ける場合においても、溶着線１１Ｋを省略して単なる折り返し片としてもよい。
【００４６】
実施形態２のマスク２においては、マスク本体１１の両側縁がマスク本体１１の中央部に向かって湾曲する円弧状とされているから、実施形態１のマスク１と比較して、紐１２からの張力によるマスク本体１１の両側縁の着用者１００の顔面からの浮き上がりが抑えられる。
【００４７】
３．実施形態３
実施形態３のマスク３は、図３〜図６に示すように、実施形態１のマスク１において、マスク本体１１の溶着線１１Ｈの外側、言い換えれば折り返し部１３の外側の部分にＵ字型（図３）もしくはＶ字型（図４および図５）の切り込み１５を設けるか、または前記部分にスリット状の切り込み１６（図６）を設けた例である。
【００４８】
実施形態３のマスク３は、上記の点を除いて実施形態１のマスク１と実質的に同一の構成を有するが、溶着線１１Ｋは省略されている。なお、本実施形態においても折り返し部１３を省略してもよい。
【００４９】
実施形態３のマスク３においては、マスク本体１１の折り返し部１３の外側に切り込み１５または１６が形成されていることにより、マスク３を着用したときに紐１２からの張力によるマスク本体１１の両側縁における応力の発生が抑えられる。したがって、マスク本体１１の両側縁の着用者１００の顔面からの浮き上がりが切り込み１５、１６のないものと比較して抑えられる。
【００５０】
４．実施形態４
図７に示すように、実施形態４のマスク４においては、マスク本体１１は、不織布シートをたとえば３枚重ねたものから構成され、前方が山になり後方が谷になるように折り返されて形成された襞１１Ｂが横方向に一列配列されている。そして、襞１１Ｂの両端部から中央部に向かって溶着線１７Ａによって略Ｕ字状に溶着されている。そして、溶着線１７Ａに沿ってその外側が切り取られ、鳥の嘴状の嘴状部１７が形成されている。したがってマスク４は所謂バード型マスクとも称される。
【００５１】
マスク４は、以上の点を除いて実施形態１のところで述べた構成を有している。
【００５２】
マスク４を着用するときは、着用者は、折り返し部１３をマスク本体１１に対して起立させるとともに、嘴状部１７を後面１１Ａ側から上下に広げる。これにより、嘴状部１７が鳥の嘴状に前方に向かって突出する。
【００５３】
マスク４をこの状態で着用することにより、マスク本体１１の側縁部と着用者の顔面との隙間が折り曲げ部１３によって塞がれるとともに、着用者の鼻と口とが嘴状部１７によってほぼ完全に覆われる。
【００５４】
５．実施形態５
実施形態５のマスク５は、図８に示すように、実施形態４のマスク４において、補強帯１１Ｊをマスク本体１１の両側縁に溶着する溶着線１１Ｈをマスク本体１１の中央部に向かって湾曲する円弧状とするとともに、マスク本体１１を溶着線１１Ｈに沿ってその外側を切り取ることにより、マスク本体１１の両側縁をマスク本体１１の中央部に向かって湾曲する円弧状に形成したものである。
【００５５】
実施形態５のマスク５は、上記の点を除いて実施形態４のマスク４と同一の構成を有する。なお、本実施形態においては折り返し部１３を省略してもよい。また、溶着線１１Ｈを円弧状とする代わりに「く」の字型とし、溶着線１１Ｈに沿ってその外側を切り取ってマスク本体１１の両側縁をマスク本体１１の中央部に向かって「く」の字型に屈曲する形態としてもよい。また、本実施形態においても折り返し部１３を省略してもよい。
【００５６】
実施形態５のマスク５においては、マスク本体１１の両側縁がマスク本体１１の中央部に向かって湾曲する円弧状とされているから、実施形態４のマスク４と比較して、紐１２からの張力によるマスク本体１１の両側縁の着用者１００の顔面からの浮き上がりが更に効果的に抑えられる。
【００５７】
６．実施形態６
実施形態６のマスク６は、図９に示すように、実施形態４のマスク４において、マスク本体１１の溶着線１１Ｈの外側、言い換えれば折り返し部１３の外側の部分にＵ字型の切り込み１５を設けた例である。切り込み１５の形状としては、Ｕ字型の他、Ｖ字型、およびスリット状であってもよい。なお、本実施形態においても折り返し部１３は省略してもよい。
【００５８】
実施形態６のマスク６は、上記の点を除いて実施形態４のマスク４と同一の構成を有する。
【００５９】
実施形態６のマスク３においては、マスク本体１１の折り返し部１３の外側に切り込み１５が形成されていることにより、マスク３を着用したときに紐１２からの張力によるマスク本体１１の両側縁における応力の発生が抑えられる。したがって、実施形態４のマスク４と比較して、紐１２からの張力によるマスク本体１１の両側縁の着用者１００の顔面からの浮き上がりが更に効果的に抑えられる。なお、本実施形態においても折り返し部１３を省略してもよい。
【００６０】
７．実施形態７
実施形態６のマスク７は、図１０および図１１に示すように、実施形態１のマスク１において、マスク本体１１の後面１１Ａにノーズグリップ１４に沿うように鼻当て部１８を貼着した例である。
【００６１】
鼻当て部１８は、マスク本体１１の上縁部と着用者１００の鼻梁との間の密着性を改善するためのものであって、ウレタンフォーム、不織布シート、不織布にラミネート加工をしたもの、およびフィルムなどから形成できる。この鼻当て部１８は、ノーズグリップ１４の裏側、またはノーズグリップ１４に沿って延在する形でマスク本体１１の長手（横）方向の全幅に亘って取り付けられている。また、マスク本体１１の後面１１Ａにノーズグリップ１４に沿って粘着材を塗布したり、両面粘着テープを貼着したりして鼻当て部１８を形成してもよい。
【００６２】
実施形態７のマスク７は、上記の点を除いて実施形態１のマスク１と同一の構成を有する。なお、本実施形態においても折り返し部１３は省略してもよい。
【００６３】
実施形態７のマスク３においては、マスク本体１１の後面１１Ａにノーズグリップ14に沿って鼻当て部１８が設けられているために、鼻当て部１８を有しないマスクと比較してマスク本体１１におけるノーズグリップ１４と着用者１００の鼻梁との密着性が改善される。
【符号の説明】
【００６４】
１    マスク
２    マスク
３    マスク
４    マスク
５    マスク
６    マスク
１１  マスク本体
１２  紐
１３  折り返し部
１４  ノーズグリップ
１５、１６  切り込み
１８  鼻当て部
【図１】
0005615195.tif 000002
【図２】
0005615195.tif 000003
【図３】
0005615195.tif 000004
【図４】
0005615195.tif 000005
【図５】
0005615195.tif 000006
【図６】
0005615195.tif 000007
【図７】
0005615195.tif 000008
【図８】
0005615195.tif 000009
【図９】
0005615195.tif 000010
【図１０】
0005615195.tif 000011
【図１１】
0005615195.tif 000012
【図１２】
0005615195.tif 000013